(57)【特許請求の範囲】
【請求項１】
シート本体と該シート本体より小寸にして重ね合わされた封入紙片とからなり、前記シート本体と封入紙片とが同一辺側で綴じ合わされ、該綴じ合わせ部に沿ってシート本体と封入紙片とに易開封手段が重なるように設けられている重ね合わせシートであって、
前記シート本体は、第一の方向に亘る横折り部と前記第一の方向に直交する第二の方向に亘って前記横折り部に交差する縦折り部とを備え、シート本体が前記縦折り部と横折り部とにより少なくとも四面に区分され、前記封入紙片は、前記シート本体の前記折り部との重なり位置に折り部を備え、
前記重ね合わせシートは、前記シート本体の横折り部の位置から前記封入紙片を内方に配した状態で第二の方向に横折りして折り畳んだ後に前記縦折り部から第一の方向に巻き折り可能に設けられて、前記巻き折りの終端に位置するシート本体のシート面を封筒上紙としこの封筒上紙に縦折り部を介して連接されたシート面を封筒下紙とし、
前記綴じ合わせ部の巻き折り時の対向部位に接着剤塗布予定域を備えるとともに、前記横折り部側に位置して巻き折り時に対向する対向部位の一方に接着剤塗布予定域を備え、対向部位の他方に剥離剤を塗布してなる剥離部を備え、
前記封筒上紙側の側端縁に封緘片が連接されて、該封緘片は前記第二の方向に亘って二条のミシン目を穿設してなる開封手段と前記二条のミシン目の間を通る折り部とを有して、前記封緘片は巻き折り時に前記二条のミシン目の間の折り部から前記封筒下紙に折り重ね可能に設けられ、前記封緘片の封筒下紙への対向面に接着剤塗布予定域が設けられ、
前記封入紙片の巻き折り時の巻き折り終端側であって前記封緘片と対応する側辺が、前記二条のミシン目の間の折り部に達しない状態で前記開封手段に重なるように封緘片側に延設され、該延設部分は前記開封手段に重なる部分において封緘片に接着され、封筒上紙側のミシン目に重なる位置にミシン目が穿設されていることを特徴とする折り畳み封書用シート。
【発明の詳細な説明】
【０００１】
【発明の属する技術分野】
本発明は折畳みにより封書が得られるようにしたシートに関するものである。
【０００２】
【発明が解決しようとする課題】
従来から金融機関やデパートなどにあっては顧客側に新商品や各種サービスの通知を行うに際して葉書形態とした案内状を送付したり、封筒を用いて通知するなどの方法を行っている。そして、通知内容が数多くなるような場合にはダイレクトメールなどのように通知情報をカタログやパンフレットなどとして作成し、これを封筒に入れて送付することが一般的である。
しかし、封筒に入れるカタログやパンフレットなどは折り畳んだり冊子形態で作成されることが多く、そして、使用する封筒の形状によっては制限を受けるために、前記カタログやパンフレットの一頁当たりの面積や見開いたときの面積はそれ程広く確保できず、受取人側への一面当たりの通知情報の量を多く確保するととに、インパクト性を与えることができないという不都合があった。
【０００３】
この点に関して発明者は一枚の広いシートを二方向に折り畳むことで封書形態にすることができるシートを提案している。このシートは、シート本体に横折り部とこの横折り部に交差する縦折り部とを設け、シート本体が縦折り部と横折り部とにより少なくとも四面に区分されていて（図１参照）、前記横折り部から横折りして折り畳んだ後に前記縦折り部から巻き折りできるようにしたものであり（図３参照）、前記巻き折りの終端に位置するシート面を封筒上紙としこの封筒上紙に縦折り部を介して連接されたシート面を封筒下紙として封書が得られるようにしている。
さらに、このシートにあっては、封書としての封緘が行えるようにするために、封筒上紙側の側端縁に前記封筒下紙側に折り重ねる封緘片が連接されており（図１参照）、この封緘片を封筒下紙に折り重ねて貼り合わせるようにしていた（図３参照）。そして、このシートでは、上記巻き折りするときに横折り部側で対向する部分には剥離可能に接着する構成が設けられ、また、シート本体の上辺側では巻き折りしたときに対向する部分には接着剤が施されてその巻き折りすることで対向する部分が接着されるようにした構成が設けられていて（図１参照）、このシートよりなる封書を受取った側においては、上記封緘片を切るとともにシート本体の上辺側で接着している個所を切断分離してから（図４参照）、横折り部において貼り合わされている個所を巻き折りしたときとは逆方向に開いた後、二つ折り状態となっているシート本体を横折りしたときとは逆方向に開くことで、そのシート本体の広い紙面が現れるようにしている。
図６に示すように、このシートから得られる封書Ａにあっては、封緘片の貼り合わせ前にシート本体の上辺部分での貼り合わせ部Ｂと横折り部側での貼り合わせ部Ｃとで、一辺を開放した封入部Ｄが形成されるため、その封入部Ｄに封入紙片Ｅを入れることができるものとなっている。そして、この形態にあっては、前記封入部Ｄの開口が貼り合わせ部ＢとＣの存在によって狭められ、封入部Ｄに入れることのできる封入紙片Ｅの大きさに制限が付き易いものとなっていることから、この広く展開できる折り畳み封書用シートの利点を生かしつつ、より大きな封入紙片を同封した封書を得るようにしたいのと要望がなされるようになってきた。
そこで本発明は上記事情に鑑み、シート本体と封入紙片とを重ね合わせた状態にして上記の折り畳みにより封書が得られるようにすることを課題とし、横折りした後に巻き折りして所要箇所の貼り合わせによって得られる封書に、大きな封入紙片を同封できるようにすることを目的とするものである。
【０００４】
【課題を解決するための手段】
本発明は上記課題を考慮してなされたもので、シート本体と該シート本体より小寸にして重ね合わされた封入紙片とからなり、前記シート本体と封入紙片とが同一辺側で綴じ合わされ、該綴じ合わせ部に沿ってシート本体と封入紙片とに易開封手段が重なるように設けられている重ね合わせシートであって、前記シート本体は、第一の方向に亘る横折り部と前記第一の方向に直交する第二の方向に亘って前記横折り部に交差する縦折り部とを備え、シート本体が前記縦折り部と横折り部とにより少なくとも四面に区分され、前記封入紙片は、前記シート本体の前記折り部との重なり位置に折り部を備え、前記重ね合わせシートは、前記シート本体の横折り部の位置から前記封入紙片を内方に配した状態で第二の方向に横折りして折り畳んだ後に前記縦折り部から第一の方向に巻き折り可能に設けられて、前記巻き折りの終端に位置するシート本体のシート面を封筒上紙としこの封筒上紙に縦折り部を介して連接されたシート面を封筒下紙とし、前記綴じ合わせ部の巻き折り時の対向部位に接着剤塗布予定域を備えるとともに、前記横折り部側に位置して巻き折り時に対向する対向部位の一方に接着剤塗布予定域を備え、対向部位の他方に剥離剤を塗布してなる剥離部を備え、前記封筒上紙側の側端縁に封緘片が連接されて、該封緘片は前記第二の方向に亘って二条のミシン目を穿設してなる開封手段と前記二条のミシン目の間を通る折り部とを有して、前記封緘片は巻き折り時に前記二条のミシン目の間の折り部から前記封筒下紙に折り重ね可能に設けられ、前記封緘片の封筒下紙への対向面に接着剤塗布予定域が設けられ、前記封入紙片の巻き折り時の巻き折り終端側であって前記封緘片と対応する側辺が、前記二条のミシン目の間の折り部に達しない状態で前記開封手段に重なるように封緘片側に延設され、該延設部分は前記開封手段に重なる部分において封緘片に接着され、封筒上紙側のミシン目に重なる位置にミシン目が穿設されていることを特徴とする折り畳み封書用シートを提供して、上記課題を解消するものである。
【０００５】
【発明の実施の形態】
つぎに本発明を図１から図５に示す実施の形態に基づいて詳細に説明する。
図中１は折り畳み封書用シートであって、該折り畳み封書用シート１は、シート本体２ａとこのシート本体２ａより小寸された封入紙片２ｂとを重ね合わせた重ね合わせシートの形態とされているものであり、前記シート本体２ａには、所要箇所に受取人住所氏名などの宛名情報や受取人への通知情報が印刷、印字され、封入紙片２ｂにおいては受取人への通知情報が印刷および／または印字されている。
まず、シート本体２ａには上記封入紙片２ｂと重ね合わされた状態で、即ち、重ね合わせシートの形態で、所要箇所から折り畳むことで封書形態とすることができるように折り部が設けられていて、図１に示すように、シート本体２ａの幅方向（得られる封書の短辺方向）となる第一の方向Ｘに亘って横折り部３がシート本体２ａの中央近くに設けられ、また、シート本体２ａの縦方向（得られる封書の長辺方向）となる第二の方向Ｙに亘って縦折り部４が設けられている。前記第一、第二の方向Ｘ，Ｙは直交する二方であって一本の横折り部３に対して三本の縦折り部４が交差している。また、図２に示すように、封入紙片２ｂは下辺が上記シート本体２ａの横折り部３に重ならないようにしてそのシート本体２ａの横折り部３から上段の面にほぼ重なる大きさ寸法のものとされ、シート本体２ａの縦折り部４との重なり位置に縦折り部４ａが設けられている。そして、前記シート本体２ａと封入紙片２ｂとはそれぞれ上辺側に配した接着片７で接着剤７ａにより綴じ合わされており、この綴じ合わせ部２cを介してシート本体２ａと封入紙片２ｂとが一体化されている。
このようにシート本体２ａに三つの縦折り部４と一つの横折り部３とがあって８面に仕切られ、封入紙片２ｂは三つの縦折り部４ａにより４面に仕切られており、重ね合わせシートの形態で横折り部３の位置から第二の方向Ｙに横折りして折り畳み、前記封入紙片２ｂを内方に配した状態で前記縦折り部４から第一の方向Ｘに巻き折りすることができる。そして、シート本体２ａは、８面に仕切られたシート面の内、前述のように二つ折り（横折り）後に巻き折りして折り畳み封書とするために、図における例にあっては横折り部３より上段であって巻き折り終端側となるシート面を封筒上紙５とし、この封筒上紙５に対して第一の方向Ｘに縦折り部４を介して連接するシート面が封筒下紙６としている。
【０００６】
上述のように折り畳んで折り畳み封書を得るための上記折り畳み葉書用シート１にあっては、所要箇所が貼り合わせ手段を設ける箇所として設定されている。まず、上記綴じ合わせ部２ｃは横折り部３からシート本体２ａを二つに横折りしたときに重ならずに表出するものであり、上記巻き折り（縦折り）する時の最初のシート面の対向側と封書時に外方に表出するシート面の表出側とを除く各片面に接着剤塗布予定域８が設けられている。さらに、前記綴じ合わせ部２ｃを後述するように巻き折りして接着剤により封着された状態で取り除くことができるように上端縁に沿って切取り用ミシン目を穿設してなる易開封手段９がシート本体２ａと封入紙片２ｂとに位置を同じにして、即ち、重なるようにして備えられている。
【０００７】
また、シート本体２ａにあっては、巻き折りして貼り合わせるための貼り合わせ手段を設ける箇所も設定されていて、上記横折り部３側において、第二の方向Ｙに折り畳んだときに外方に臨む部分であって、巻き折り時（図３参照）に対向する対向部位それぞれが剥離可能に接着する構造が得られるようにしている。図示するように、巻き折りの始めに対向する対向部位ａと対向部位ｂとにおいて、対向部位ａには接着剤を塗布するための接着剤塗布予定域１０が設けられ、一方、対向部位ｂには予め剥離剤を塗布し、前記接着剤塗布予定域１０に接着剤を塗布した状態で貼り合わせても接離可能となる構造が得られるようにした剥離部１１が設けられている。
つぎの折り（巻き折り）で対向する対向部位ｃと対向部位ｄとでは、その対向部位ｃに接着剤塗布予定域１０が設けられ、対向部位ｄには剥離部１１が設けられている。さらに、最後の巻き折りで対向する対向部位ｅと対向部位ｆとでは、対向部位ｅに接着剤塗布予定域１０が設けられ、対向部位ｆに剥離部１１が設けられている。
このように対向部位の一方に接着剤塗布予定域１０が設けられ、対向部位の他方に予め剥離剤を塗布してなる剥離部１１が設けられているため、後述するように前記接着剤塗布予定域１０に接着剤を塗布し巻き折りすることで対向部位が貼り合わされ、また、後述する封書を開く時点では対向していた対向部位が容易に離れるようにしている。
【０００８】
上記封筒上紙５側の側端縁には封緘片１２が連接されていて、巻き折りして封筒下紙６に接着させるための接着剤を塗布する接着剤塗布予定域１４が設けられている。なお、前記封緘片１２から第二の方向Ｙの下段側は切り欠かれているが、この部分に対向片を設けるようにしてもよく、その場合、横折りしたときに封緘片１２の前記接着剤塗付予定域１４を覆わない大きさのものとする。
さらに、前記封緘片１２には、第二の方向Ｙに亘って二条のミシン目１５ａを穿設してなる開封手段１５が設けられ、この開封手段１５を構成している二条のミシン目１５ａの間を通るようにして折り部１６が設けられており、横折りと巻き折りの後に封緘片１２をこの折り部１６から折り畳んで封筒下紙６に折り重ねることができるようにしている。そして、前記開封手段１５の間の折り部１６から折り畳むことで二本のミシン目１５ａが縦折り部４の外方側で位置揃えされるようにしており、開封に際してこの開封手段１５のミシン目１５ａから切断することで封緘片１２が切断されるようにしている（図４参照）。
図示した実施の例においては、上記封入紙片２ｂの側辺（図３に示すように巻き折り時の巻き折り終端側であって封緘片と対応する側辺）が、上記折り部１６を越えない状態で開封手段１５に重なるように側方に延設されており、この開封手段１５との重なり部分において接着されているとともに、封筒上紙５側のミシン目１５ａに重なるミシン目１５ｂが穿設されており、前述したように開封手段１５での開封にて、封緘片１２に対する封入紙片２ｂの接着部が切り取られるようにしている。よって、前記封入紙片２ｂにあっては上述したようにシート本体上辺部分とこの封緘片１２との部分で一体化されているものである。
【０００９】
この折り畳み封書用シート１におけるシート本体２ａの一つのシート面にあっては、上記巻き折りしたときに内方となる片面側を葉書表面とした葉書用紙１８が構成されており（図１参照）、受取人が見開いたこの折り畳み封書用シートに記載されている情報を見て、その葉書用紙１８を分離して返信用などとして受取人側が利用できるようにしている。
【００１０】
以上の構造であって所要の情報が印字処理された折り畳み封書用シート１から封書を作成するには、図３（イ）に示すように、横折り部３からシート本体２ａを第二の方向Ｙに横折りする。
つぎに、表出している綴じ合わせ部２ｃの接着剤塗布予定域８と横折り部３側の接着剤塗布予定域１０とに接着剤を塗布し、図３（イ）において図の右のシート面側（封筒上紙５と反対側に位置するシート面側）を巻き折り始端として縦折り部４から第一の方向Ｘに向けて巻き折りを行う（図３（ロ）参照）。このように接着剤塗布予定域８，１０に接着剤を塗布して巻き折りすることで封着片７同士は貼り合わされ、また、横折り部側では対向部位ａとｂ、ｃとｄ、ｅとｆが剥離可能にした状態で貼り合わされる。
この後、上記封緘片１２の接着剤塗布予定域１４に接着剤を塗布してから封緘片１２を封筒下紙６に重ね合わせして接着する。このようにして、所要箇所が貼り合わされ、封入物を備え、封緘された折り畳み封書２２が得られる（図３（ニ）参照）。
図示した折り畳み封書用シート１からなる折り畳み封書２２を開封するには、図４のように上記封緘片１２を開封手段１５から開くとともに綴じ合わせ部２ｃを易開封手段９から分離し、そして、接着剤が塗布された接着剤塗布予定域１０と剥離部１１とを引き離しながら巻き折り状態を戻してシート本体２ａを開くようにすれば、図５に示すように、封入紙片２ｂはシート本体２ａとは分離した状態となっていて、シート本体２ａと封入紙片２ｂともに全面を見ることができる。
【００１１】
【発明の効果】
以上説明したように本発明により、同封する封入紙片は、従来のような後入れする場合に比べて封入部の開口間口からの制限を受けることがなくなり、よって、封入紙片を大きなものとすることができ、その封入紙片に設けることのできる情報量が大きくなる。そして、その封入紙片を後入れするものではないことから、用紙後入れに対応する封入封緘機械を封書作成ラインに設置する必要もなくなる。さらに、この折り畳み封書用シートから得られた封書を開封した際に、封入紙片もシート本体とともに一緒に展開され、かつ、分離状態にして取り出せるので、開封時の封入紙片の取り扱いが容易になるなど、実用性に優れた効果を奏するものである。
【図面の簡単な説明】
【図１】  本発明に係る折り畳み封書用シートの一例におけるシート本体を示すもので、（イ）は一方の面を示す説明図、（ロ）は他方の面を示す説明図である。
【図２】  一例における封入紙片が重ね合わされている状態を示す説明図である。
【図３】  折り畳み封書用シートの一例における折り畳み工程を示す説明図である。
【図４】  開封を示す説明図である。
【図５】  開封後のシート本体と封入紙片とを示す説明図である。
【図６】  従来例を示す説明図である。
【符号の説明】
１…折り畳み封書用シート
２ａ…シート本体
２ｂ…封入紙片
２ｃ…綴じ合わせ部
３…横折り部
４、４ａ…縦折り部
５…封筒上紙
６…封筒下紙
８…接着剤塗布予定域
９…易開封手段
１０…接着剤塗布予定域
１１…剥離部
１２…封緘片
１５…開封手段（封緘片１２）
１６…折り部
２２…折り畳み封書
【図１】
0003848794.tif 000002
【図２】
0003848794.tif 000003
【図３】
0003848794.tif 000004
【図４】
0003848794.tif 000005
【図５】
0003848794.tif 000006
【図６】
0003848794.tif 000007